(57)【要約】【課題】ステンドグラスの後側からバランスのとれた光をあてるようにする。【解決手段】照明ケース本体３の前面に装着された額縁５にステンドグラス１７をセットする。前記照明ケース本体３内に前記額縁５の額縁枠９の後側に照明器具２１を設ける一方、その照明器具２１からの光を反射板２３によって反射し、その反射した光を前記ステンドグラス１７の後側からあてるようにする。【選択図】      図１
2004335139.tif 000002
【特許請求の範囲】
【請求項１】
照明ケース本体の前面に装着された額縁と、その額縁にセットされたステンドグラスと、前記照明ケース本体内で前記額縁の額縁枠の後側に配置された照明器具と、その照明器具からの光を反射し、その反射した光を前記ステンドグラスの後側からあてる反射板とを備えていることを特徴とするステンドグラス照明装置。
【請求項２】
前記反射板は、前記額縁の中央部位から前記照明器具へ向かって下降傾斜する断面山形状の傾斜面となっていることを特徴とする請求項１記載のステンドグラス照明装置。
【請求項３】
断面山形状となる前記反射板の裏面側空間を、前記照明器具等の機能部品を配置する配置スペースとすることを特徴とする請求項２記載のステンドグラス照明装置。
【発明の詳細な説明】
【０００１】
【発明の属する技術分野】
この発明は、装飾用に適するステンドグラス照明装置に関する。
【０００２】
【従来の技術】
一般にステンドグラスは、全体に光があたることでステンドグラス特有の模様、色彩が浮かび上がるようになっていて、例えば、建物の明りとり用の窓等に使用される。
【０００３】
ステンドグラスは光があたることで美しさが強調されるところから、光は重要なウエイトを占めるもので全領域にわたって光が当たることが求められる。その光は太陽等の自然光に近いことと、明るすぎても、また、暗すぎても駄目である。
【０００４】
特に、ステンドグラスは、それ自体装飾要素を併せ持つところから、近年では窓等の建物に使用されるだけでなく、例えば、電気スタンド等にも用いられ、既に製品化されている。
【０００５】
【発明が解決しようとする課題】
ステンドグラスを用いた電気スタンドは、明りとりの外に装飾用としての機能が得られるようになる。
【０００６】
この場合、装飾用として見た時に電気スタンドの電球は、自然光ではなく照明のための光源となるため、ステンドグラスでできた傘を内側から強く照らし、ステンドグラスを透かして電球の輪郭がわかるようになることと、一部分のみ明るい部分が浮き上がり明・暗の領域が作られる等アンバランスな面が強調される不具合が起きる。
【０００７】
そこで、この発明は、ステンドグラスを純粋な装飾用の作品として鑑賞できるようにすると共に、ステンドグラスの後側から全領域にわたってバランスよく光があたるようにしたステンドグラス照明装置を提供することを目的としている。
【０００８】
【課題を解決するための手段】
前記目的を達成するために、この発明の請求項１にあっては、照明ケース本体の前面に装着された額縁と、その額縁にセットされたステンドグラスと、前記照明ケース本体内で前記額縁の額縁枠の後側に配置された照明器具と、その照明器具からの光を反射し、その反射した光を前記ステンドグラスの後側からあてる反射板とを備えていることを特徴とする。
【０００９】
これにより、照明器具からの光は反射板により反射されることで、ステンドグラスは後側から光があたるようになる。
【００１０】
この時、照明器具は額縁枠の後側に配置されることと、反射板による反射によってステンドグラスの一部分のみ光が強くあたることがなくなり、強く光る領域と弱く光る領域が作られるアンバランスがなくなる。この結果、ステンドグラスの鑑賞にあたって重要なウエイトを占める光は自然光に近い状態で後側から全領域にわたってあたるようになる。
【００１１】
また、この発明の請求項２にあっては、前記反射板を、前記額縁の中央部位から前記照明器具へ向かって下降傾斜する断面山形状の傾斜面とすることを特徴とする。
【００１２】
これにより、傾斜面の強い額縁の中央部位が反射率が一番高く、以下、順次低くなるため、額縁の中央部位から遠く離れた位置に照明器具があっても、ステンドグラスの後側からほぼ全領域にわたって光を均一にあてることが可能となる。
【００１３】
また、この発明の請求項３にあっては、断面山形状となる前記反射板の裏面側空間を、前記照明器具等の機能部品を配置する配置スペースとすることを特徴とする。
【００１４】
これにより、反射板の裏面側空間を有効利用することが可能となるため、照明ケース本体の背板と反射板との間に配置用のスペースを作る必要がなくなるため、その分、照明ケース本体の薄型化が図れるようになり、設置して使用する設置タイプだけでなく壁に掛けて使用する壁掛けタイプとすることも可能となる。
【００１５】
【発明の実施の形態】
以下、図１乃至図５の図面を参照しながらこの発明の実施の形態について具体的に説明する。
【００１６】
図１はこの発明にかかるステンドグラス照明装置１の概要切断側面図を示している。
【００１７】
ステンドグラス照明装置１は、照明ケース本体３の前面に額縁５が装着された形状となっている。
【００１８】
額縁５は、開口窓７とその開口窓７を取囲む額縁枠９とから成り、アルミ材でできた矩形の板状に形成されている。額縁枠９の左右両端は垂直面、上下両端は円弧部１１，１３となっている。
【００１９】
上方の円弧部１１は前面から後方下方へ向かって緩やかに屈曲された形状となっている。下方の円弧部１３は前面上方へ向かって緩やかに屈曲された形状となっていて、側方から見た時に胴部の長いＳ字形状に作られている。なお、下方の円弧部１３は図１に示すように、設置して使用する時に前方の支持部となるところから、その設置面１３ａにゴムの材質でできた滑り止めを設ける等の処理をすることが望ましい。
【００２０】
額縁枠９の裏側には、支持棚部１５が上下に設けられている。
【００２１】
上下の支持棚部１５は、水平部１５ａと垂直部１５ｂとから成るアングル状に形成され、側方から挿入されるステンドグラス１７を上下でそれぞれ支持するようになっている。
【００２２】
一方、照明ケース本体３は、アルミの材質で作られていて、両側方の内、一方の側壁には図３に示すように前記支持棚部１５にステンドグラス１７を挿入セットするための出入口１９が設けられている。
【００２３】
照明ケース本体３の内部には、照明器具２１と反射板２３と前記照明器具２１の機能部品２５がそれぞれ配置されている。
【００２４】
照明器具２１は、直管タイプの蛍光灯となっていて、図１に示すように前記額縁枠９の後側で、正面から見た時に直接見えない上方位置と下方位置にそれぞれ配置されている。照明器具２１の電源は、図示していないがコードのソケットをコンセントに差し込むことで確保されるようになっていて、図３に示すように照明ケース本体３の側壁に設けられた手元スイッチ２７の操作によってオン・オフが可能となっている。
【００２５】
反射板２３は、前記した上下の照明器具２１からの光を前記ステンドグラス１７の後側から光をあてるためのもので、図１に示すように中央部位が一番高く、以下、上方及び下方へ向け下降する断面山形状の傾斜面となっている。したがって、反射率は、前記照明器具２１からの一番遠い位置で、傾斜面の傾斜角度が大きい中央部位置が最大で、以下、上下方向に向かって順次小さくなるよう設定され、上下の照明器具２１からの光の強さがステンドグラス１７の全領域にわたってほぼ均一にあたるようになっている。
【００２６】
照明器具２１の機能部品２５は、前記反射板２１の中央部位となる断面山形状に形成された裏面側配置スペース２９内に組込まれた構造となっている。
【００２７】
したがって、照明ケース本体３の背板３ａを反射板２３に対して接触するまで接近させることが可能となるため、照明ケース本体３の薄型化が図れるようになり、壁等に掛けて使用する壁掛けタイプとすることも可能となっている。
【００２８】
ステンドグラス１７は、図３に示すようにアルミ枠３１によって外周が取囲まれ、例えば、図５に示すように内部の模様、色彩が異なるステンドグラス１７がアタッチメントとして複数用意され、それらを選択することで作品の異なるステンドグラス１７の交換が可能となっている。
【００２９】
ステンドグラス１７の後側には、反射板２３からの光を柔らげる制御フィルタ３３が設けられ、ステンドグラス１７を支持棚部１５へ挿入セットする時に、ステンドグラス１７の後側に一緒に重ね合わせて挿入することでそのステンドグラス１７と一緒に支持棚部１５に支持されるようになっている。
【００３０】
制御フィルタ３３は、ポリエチレンの材質で作られていて表側は平滑面に、裏側は肉眼では直接見えない多数の小さな凹凸面となっていて、ちょうど曇りガラスのようになっている。制御フィルタ３３は、前記反射板２３からの光が制御フィルタ３３を通過する時、その光を乱反射させることで、自然光に近い光としてステンドグラス１７の後側から光があたるよう工夫されている。
【００３１】
このように構成されたステンドグラス照明装置１によれば、図１のように照明ケース本体３の背板３ａにスタンド用脚３５をセットして、例えば、飾り棚等に設置して使用する。あるいはスタンド用脚３５を取外し、図示していないが壁等にかけて壁掛けタイプとして使用してもよい。
【００３２】
一方、照明器具２１からの光は反射板２３により反射されステンドグラス１７の後側を照らすようになる。
【００３３】
この場合、ステンドグラス１７を鑑賞するにあたって最も重要なウエイトを占める後側から光をあてる照明器具２１は、額縁枠９の後側に配置され、前方から直接見えない位置にあることと、反射板２３によって反射された光があたるようになるため、ステンドグラス１７の一部分にのみ光が強くあたることがなくなる。特に、制御フィルタ３３と相俟ってステンドグラス１７には強く光る領域と弱く光る領域が作られるアンバランスがなくなると共に全領域にわたってほぼ均一に自然光に近い光があたるようになる。
【００３４】
【発明の効果】
以上、説明したようにこの発明の請求項１によれば、額縁枠の後側に配置された照明器具と反射板とによって、ステンドグラスの後側に明るい領域と暗い領域とを作ることなく光をあてることができる。
【００３５】
また、この発明の請求項２によれば、断面山形状に形成された反射板によって照明器具からの光をステンドグラスの全領域にわたって光をほぼ均一にあてることができる。
【００３６】
また、この発明の請求項３によれば、機能部品を反射板の断面山形状の裏側に形成された配置スペースに配置することができるため、照明ケース本体の背板を反射板に近づけることが可能となり、薄型化が図れる。
【図面の簡単な説明】
【図１】この発明にかかるステンドグラス照明装置の概要切断側面図。
【図２】ステンドグラス照明装置の概要前方斜視図。
【図３】照明ケース本体からステンドグラスと制御フィルタとを取外した状態の概要斜視図。
【図４】ステンドグラス照明装置の概要後方斜視図。
【図５】作品の異なるアタッチメントとしての用意されたステンドグラスの概要説明図。
【符号の説明】
３…照明ケース本体
５…額縁
１７…ステンドグラス
２１…照明器具
２３…反射板
２５…機能部品
２９…配置スペース
【図１】
2004335139.tif 000003
【図２】
2004335139.tif 000004
【図３】
2004335139.tif 000005
【図４】
2004335139.tif 000006
【図５】
2004335139.tif 000007